(57)【要約】【目的】温風暖房機本体の幅び奥行きが小さくなるように、燃焼部、熱交換器、排気室、対流用送風機を配置しても、温風量が低下したり温風暖房機本体の内部温度が上昇してしまうのを防止する温風暖房機を提供する。【解決手段】縦にした燃焼部７の上方に熱交換器１５を横に配置し、燃焼部７と熱交換器１５との間に箱状の排気室１２を配置し、熱交換器１５の上方に対流用送風機１９を配置し、更に排気室１２の上面に傾斜部１４を設けたので、熱交換器１５を通過して加熱された空気は、排気室１２の上面の傾斜部１４の傾斜によりスムーズに下方向に流れ、温風量が低下してしまうのを防止できるものである。【選択図】      図４
2005282868.tif 000002
【特許請求の範囲】
【請求項１】
燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、前記外筒と熱交換器との間に設け内部に遮熱板を設けた箱状の排気室と、屋外の空気を給気すると共に燃焼ガスを屋外に排気する給排気筒と、室内の空気を熱交換器に送風する対流用送風機とを備え、室内から給気した空気と燃焼ガスとを熱交換器で熱交換して給気した空気を吹き出し口から温風として吹き出す温風暖房機に於いて、前記燃焼部の上方に熱交換器を横に配置し、燃焼部と熱交換器との間に排気室を配置して燃焼部と熱交換器を接続し、熱交換器の上方に対流用送風機を配置すると共に、前記排気室の上面に傾斜部を設けたことを特徴とする温風暖房機。
【請求項２】
前記傾斜部は、排気室の上面の中心部分から端に向かって低くなるように形成したことを特徴とする請求項１記載の温風暖房機。
【請求項３】
前記傾斜部は、排気室の上面の中心部分から温風暖房機本体の前面方向と背面方向とに設けたことを特徴とする請求項２記載の温風暖房機。
【発明の詳細な説明】
【技術分野】
【０００１】
本発明は、燃焼による排気ガスと室内空気とを熱交換して暖房を行う通称ＦＦ式と言われる温風暖房機に関するものである。
【背景技術】
【０００２】
従来よりこの種の温風暖房機に於いては、給排気筒から吸い込んだ外気と燃料とを燃焼部で燃焼し、その高温の排気ガスを迂回させて通過させるための遮熱板を内蔵する排気室を通過させてから、熱交換器でファンにより温風暖房機内に吸い込んだ室内の空気と熱交換して室内の空気を加熱し、加熱した室内空気を温風暖房機から室内に吹き出すと共に、熱交換した後の排気ガスを給排気筒から屋外に排気するもので、温風暖房機本体の幅寸法及び奥行き寸法を小さくするものとして縦にした燃焼部の横に熱交換器を縦に配置し、横に並んだ燃焼部と熱交換器の上方を箱状の排気室で接続すると共に、その排気室の上方にクロスフローファンを配置したものがものがある。（例えば特許文献１参照）
【特許文献１】特開２００３−１８５２７３号公報
【０００３】
ところでこの温風暖房機の幅寸法を更に小さくするために、図５のように縦にした燃焼部１０１の上方に熱交換器１０２を横に配置し、燃焼部１０１と熱交換器１０２との間に箱状の排気室１０３を配置して燃焼部１０１と熱交換器１０２を接続し、熱交換器１０２の上方にクロスフローファン１０４を配置したものがある。
【発明の開示】
【発明が解決しようとする課題】
【０００４】
ところでこの従来のものでは、クロスフローファン１０４により温風暖房機内に吸い込んだ室内の空気が上方から下方に流れて、クロスフローファン１０４の下方に横に配置した熱交換器１０２を通過して熱交換して加熱された後、箱状の排気室１０３の平らな上面に衝突してしまうため、まずクロスフローファン１０４により温風暖房機内に吸い込んだ室内の空気が熱交換器１０２で熱交換する時、熱交換器１０２が空気の下への流れを遮る形となって温風量が低下してしまうものである。
【０００５】
又クロスフローファン１０４により温風暖房機内に吸い込んだ室内の空気が熱交換器１０２で熱交換して加熱された後、箱状の排気室１０３の平らな上面に衝突してしまうため、排気室１０３の下に位置する燃焼部１０１の外筒１０５に熱交換器１０２で熱交換して加熱された後の空気がうまく当たらず、外筒１０５が高温になって結果として温風暖房機の内部温度が上昇してしまうものであった。
【課題を解決するための手段】
【０００６】
この発明はこの点に着目し上記課題を解決するため、請求項１では特にその構成を、燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、前記外筒と熱交換器との間に設け内部に遮熱板を設けた箱状の排気室と、屋外の空気を給気すると共に燃焼ガスを屋外に排気する給排気筒と、室内の空気を熱交換器に送風する対流用送風機とを備え、室内から給気した空気と燃焼ガスとを熱交換器で熱交換して給気した空気を吹き出し口から温風として吹き出す温風暖房機に於いて、前記燃焼部の上方に熱交換器を横に配置し、燃焼部と熱交換器との間に排気室を配置して燃焼部と熱交換器を接続し、熱交換器の上方に対流用送風機を配置すると共に、前記排気室の上面に傾斜部を設けたものである。
【０００７】
又本発明の請求項２に係る温風暖房機では、特にその構成を、請求項１に於いて、前記傾斜部は、排気室の上面の中心部分から端に向かって低くなるように形成したものである。
【０００８】
又本発明の請求項３に係る温風暖房機では、特にその構成を、請求項２に於いて、前記傾斜部は、排気室の上面の中心部分から温風暖房機本体の前面方向と背面方向とに設けたものである。
【発明の効果】
【０００９】
この発明の請求項１によれば、温風暖房機本体の幅寸法及び奥行き寸法を小さくするために、縦にした燃焼部の上方に熱交換器を横に配置し、燃焼部と熱交換器との間に箱状の排気室を配置して燃焼部と熱交換器を接続し、熱交換器の上方にる対流用送風機を配置しても、熱交換器の熱交換パイプの外周を通過して加熱された空気は、熱交換パイプを通過した後、排気室の上面部分に衝突するものの、傾斜部の傾斜によりスムーズに下方向に流れることで温風量が低下してしまうのを防止できるものである。
【００１０】
又前記構成による請求項２記載の温風暖房機によれば、請求項１に於いて、前記傾斜部は、排気室の上面の中心部分から端に向かって低くなるように形成したもので、それにより排気室の上面の中心部分から端に向かって交換器の熱交換パイプの外周を通過して加熱された空気がスムーズに下方向に流れることで温風量が低下してしまうのを防止できるものである。
【００１１】
又本発明の請求項３に記載の温風暖房機によれば、請求項１に於いて、前記傾斜部は、排気室の上面の中心部分から温風暖房機本体の前面方向と背面方向とに設けたもので、それにより  排気室の上面部分から傾斜部の傾斜に沿ってスムーズに下方向に流れた空気は、下部に位置する外筒をなめるように通過してから温風暖房機本体前面の吹き出し口から室内に温風として吹き出すので、外筒及びその周りが高温にならず、温風暖房機本体の内部温度が上昇してしまうのを防止できるものである。
【発明を実施するための最良の形態】
【００１２】
次に、この発明に係る温風暖房機を、図面に示された一実施例で説明する。
１は温風暖房機本体で、前面中央から下部にかけて温風を吹き出す吹き出し口２を設けると共に、前面上部に運転スイッチ３や温度設定スイッチ４等の複数のボタンと温度や時間を表示する表示部５とが一体となった操作・表示ユニット６が設けられ、又背面には屋外の空気を温風暖房機に給気するための給気部（図示せず）と温風暖房機の排気ガスを屋外に排気するための排気部（図示せず）とからなる給排気筒（図示せず）が接続されているものである。
【００１３】
７は燃焼部で、燃料供給手段８である燃料ポンプから送られてきた灯油と燃焼用送風機９から送られてくる燃焼用空気とにより燃焼をするバーナ部１０と、該バーナ部１０の燃焼ガスを排気ガスとして導く外筒１１とからなるものである。
【００１４】
１２は箱状の排気室で、下部に外筒１１が取り付けられ、内部には外筒１１から流入する排気ガスを迂回させて通過させるための遮熱板１３を設けたものであり、又その上面には中心部分から端にむかって低くなるような傾斜部１４が、中心部分から温風暖房機本体１の前面方向と中心部分から温風暖房機本体１の背面方向に設けられているものである。
【００１５】
１５は熱交換器で、排気室１２の上方に設けられ、排気室１２からの排気ガスが流入する箱状の流入部１６と、略パイプ状で一端が流入部１６に接続され、流入部１６からの排気ガスが内部を通過する複数の熱交換パイプ１７と、該熱交換パイプ１７の他端が接続されると共に屋外と連通している給排気筒（図示せず）の排気部（図示せず）と接続され、熱交換パイプ１７内を通過した排気ガスを排気部に案内する箱状の流出部１８とからなるものである。
【００１６】
１９はクロスフローファンからなる対流用送風機で、熱交換器１４の上方に設けられ、対流用モータ２０により駆動されることにより、室内の空気を吸い込んで下方向に送風するものである。
【００１７】
次に本発明一実施例の動作について説明する。
図４は本実施例を説明する温風暖房機の要部断面図で、まず内蔵されているヒータ（図示せず）に通電してバーナ部１０が所定の温度に上昇すると、燃料ポンプ８から灯油がバーナ部１０に送られて気化し、又バーナ部１０に燃焼用送風機９から燃焼用空気が送られ、気化した灯油と燃焼用空気が混合され、点火装置（図示せず）により着火されて燃焼を開始する。
【００１８】
燃焼ガスは排気ガスとしてバーナ部１０から外筒１１内を通過して上昇し、排気室１２内の遮熱板１３に案内されて排気室１２内を迂回して通過し、熱交換器１５の流入部１６から熱交換パイプ１７内を通過し、流出部１８から給排気筒の排気部へと流れて屋外に排気されていくものである。
【００１９】
又バーナ部１０で燃焼が開始されると熱交換器１５上方に位置する対流用送風機１９が駆動されて、室内の空気を温風暖房機本体１内に給気し、その給気された室内の空気は、対流用送風機１９から下方に送風され、熱交換器１５の熱交換パイプ１７の外周を通過して熱交換して加熱された後、温風暖房機本体１前面の吹き出し口２から室内に温風として吹き出すものである。
【００２０】
この時、熱交換器１５の熱交換パイプ１７の外周を通過して加熱された空気は、熱交換パイプ１７の外周を通過した後、排気室１２の上面部分に衝突するが、傾斜部１４に衝突した空気は傾斜に沿ってスムーズに下方向に流れ、又排気室１２の上面の中央部分に衝突した空気も傾斜部１４に衝突した空気のスムーズな流れに引き寄せられて傾斜に沿ってスムーズに下方向に流れるものである。  
【００２１】
又排気室１２の上面部分から傾斜部１４の傾斜に沿ってスムーズに下方向に流れた空気は、更に下部に位置する外筒１１をなめるように通過してから温風暖房機本体１前面の吹き出し口２から室内に温風として吹き出すものである。  
【００２２】
これにより温風暖房機本体１の幅寸法及び奥行き寸法を小さくするために、縦にした燃焼部７の上方に熱交換器１５を横に配置し、燃焼部７と熱交換器１５との間に箱状の排気室１２を配置して燃焼部７と熱交換器１５を接続し、熱交換器１５の上方にクロスフローファンからなる対流用送風機１９を配置しても、熱交換器１５の熱交換パイプ１７の外周を通過して加熱された空気は、熱交換パイプ１７を通過した後、排気室１２の上面部分に衝突するものの、傾斜部１４の傾斜によりスムーズに下方向に流れることで温風量が低下してしまうのを防止できるものである。
【００２３】
又排気室１２の上面部分から傾斜部１４の傾斜に沿ってスムーズに下方向に流れた空気は、下部に位置する外筒１１をなめるように通過してから温風暖房機本体１前面の吹き出し口２から室内に温風として吹き出すので、外筒１１及びその周りが高温にならず、温風暖房機本体１の内部温度が上昇してしまうのを防止できるものである。
【図面の簡単な説明】
【００２４】
【図１】本発明一実施形態を付した温風暖房機の実施形態を示す斜視図。
【図２】同前面パネルを外した斜視図。
【図３】同一部欠裁正面図。
【図４】同要部断面図。
【図５】従来の温風暖房機要部断面図
【符号の説明】
【００２５】
２  吹き出し口
７  燃焼部
８  燃料供給手段
９  燃焼用送風機
１０  バーナ部
１１  外筒
１２  排気室
１３  遮熱板
１４  傾斜部
１５  熱交換器
１９  対流用送風機
【図１】
2005282868.tif 000003
【図２】
2005282868.tif 000004
【図３】
2005282868.tif 000005
【図４】
2005282868.tif 000006
【図５】
2005282868.tif 000007